(57)【特許請求の範囲】
【請求項１】
柱の上端で受けられ柱の上端に固定される軒桁や妻梁などの横架材に対し天井梁やたる木を緊結固定するための木造建築物の屋根組用緊結金具であって、側板部と、この側板部の一端側における下端に連設され下端が横架材から離れる方向に傾斜する傾斜板部と、この傾斜板部の上端に横架材の天井梁載置部に予め底面を傾斜させて形成してある位置決め用の凹部に嵌入するように連設された位置決め用の板部と、前記側板部の上端に連設された天井梁取り付け用の板部とからなることを特徴とする木造建築物の屋根組用緊結金具。
【請求項２】
柱の上端で受けられ柱の上端に固定される軒桁や妻梁などの横架材に対し天井梁やたる木を緊結固定するための木造建築物の屋根組用緊結金具であって、側板部と、この側板部の前後方向中間部下端に連設され下端が横架材から離れる方向に傾斜する傾斜板部と、この側板部の前後方向一端側における下端に横架材の天井梁載置部に予め底面を傾斜させて形成してある位置決め用の凹部に嵌入するように連設された位置決め用の板部と、前記側板部の上端に連設された天井梁取り付け用の板部とからなることを特徴とする木造建築物の屋根組用緊結金具。
【発明の詳細な説明】
【０００１】
【発明の属する技術分野】
本発明は、木造建築物において天井梁とたる木を軒桁や妻梁などの横架材に固定するための木造建築物の屋根組用緊結金具に関するものである。
【０００２】
【従来の技術】
従来、木造建築物を建造するに際し、天井梁やたる木を軒桁や妻梁などの横架材に固定する場合、柱の上端に水平に取り付けられた軒桁や妻梁などの横架材に対し、天井梁やたる木は釘打ちなどにより固定しているのが一般的である。
【０００３】
【発明が解決しようとする課題】
前述のように、天井梁やたる木は軒桁や妻梁などの横架材に対し釘打ちなどにより固定されるのであるが、横架材に対する天井梁やたる木の取り付けに熟練と手間を要するという問題があった。
【０００４】
本発明はこのような課題を解決するもので、軒桁や妻梁などの横架材に対する天井梁やたる木の取り付けを容易に行なえ、屋根組時の作業性の向上を図るようにすることを目的とするものである。
【０００５】
【課題を解決するための手段】
この課題を解決するために本発明は、柱の上端で受けられ柱の上端に固定される軒桁や妻梁などの横架材に対し天井梁やたる木を緊結固定するための木造建築物の屋根組用緊結金具であって、側板部と、この側板部の一端側における下端に連設され下端が横架材から離れる方向に傾斜する傾斜板部と、この傾斜板部の上端に横架材の天井梁載置部に予め底面を傾斜させて形成してある位置決め用の凹部に嵌入するように連設された位置決め用の板部と、前記側板部の上端に連設された天井梁取り付け用の板部とからなることを要旨とするものである。また本発明は、柱の上端で受けられ柱の上端に固定される軒桁や妻梁などの横架材に対し天井梁やたる木を緊結固定するための木造建築物の屋根組用緊結金具であって、側板部と、この側板部の前後方向中間部下端に連設され下端が横架材から離れる方向に傾斜する傾斜板部と、この側板部の前後方向一端側における下端に横架材の天井梁載置部に予め底面を傾斜させて形成してある位置決め用の凹部に嵌入するように連設された位置決め用の板部と、前記側板部の上端に連設された天井梁取り付け用の板部とからなることを要旨とするものである。
【０００６】
このような構成の緊結金具を用いることにより、軒桁や妻梁などの横架材に対する天井梁およびたる木の取り付けを容易に行なうことができ、屋根組時の作業効率を大幅に向上させることができる。
【０００７】
【発明の実施の形態】
以下、本発明の実施の形態について、図面に基づいて説明する。
先ず、図１〜図５に示す第１の実施の形態について説明すると、１は柱２の上端で受けられ柱２の上端に釘打ちなどにより固定される軒桁や妻梁などの横架材で、この横架材１に対し天井梁３やたる木４が緊結金具５を介して固定される。
【０００８】
緊結金具５について詳細に述べると、緊結金具５は金属板を折り曲げ成形して作られ、ほぼ三角形の側板部６と、この側板部６の一端側における下端に内側に直角に連設され下端が横架材１から離れる方向に傾斜する傾斜板部７と、この傾斜板部７の上端に連設された位置決め用の板部８と、前記側板部６の上端の長さ方向のほぼ半分の長さ範囲で側板部６の一端側に偏った状態で連設された板部９とからなり、前記板部８は傾斜板部７の傾斜角度に対し緩やかな角度で傾斜するように傾斜板部７の上端に折り曲げられて連設され、また前記板部９は側板部６に対し外側に直角に折れ曲げられて連設されている。
【０００９】
この緊結金具５は前記天井梁３の端部に天井梁３が横架材１に載せられる前に取り付けられる。具体的には、側板部６の一端側外面および板部９の下面に当接し板部９に対し釘10打ちされることにより天井梁３の両端にそれぞれ前記緊結金具５が取り付けられる。そのとき、天井梁３の端部は緊結金具５の前記板部９の端部９ａと位置合わせされる。そして、横架材１に天井梁３が載せられるとき、横架材１の天井梁３載置部に予め底面を傾斜させて形成してある位置決め用の凹部11に前記位置決め用の板部８が嵌入して天井梁３が位置決めされる。このとき、前記傾斜板部７が横架材１の上端角部に当たりながら天井梁３が吊り降ろされ、前記位置決め用の板部８が位置決め用の凹部11に嵌入して凹部11の底面に載り、天井梁３が横架材１に載った状態において横架材１に対する天井梁３の位置合わせが完了する。その状態で前記傾斜板部７を横架材１に釘10打ちにより固定する。
【００１０】
このように横架材１に固定された緊結金具５の側板部６の内面にたる木４を当てがうとともに、たる木４を前記板部８上に載せ、側板部６の他端側で側板部６とたる木４を釘10打ちにより固定する。なお、たる木４は前記緊結金具５の位置でたる木４に予め釘10打ちにより取り付けてあるほぼＵ字状の位置決め金具12の両側の側板部13の端面が緊結金具５の側板部６の一端側端面に当接することにより位置決めされるとともに、棟の位置で棟木に固定される。ところで、前記位置決め金具12は底板部14がたる木４に釘10打ちにより固定されている。
【００１１】
以上の要領で横架材１の上に緊結金具５を介して天井梁３およびたる木４が固定されるのであって、天井梁３およびたる木４は横架材１の長さ方向に適当間隔おきに設けられる。
【００１２】
次に、図６〜図９に示す第２の実施の形態について説明すると、前記第１の実施の形態における緊結金具５は、傾斜板部７は側板部６の一端側における下端に内側に直角に連設されており、また傾斜板部７の上端に位置決め用の板部８が連設されているが、第２の実施の形態における緊結金具15では、側板部６の前後方向中間部下端に外側に直角に傾斜板部16を連設しており、また側板部６の前後方向一端側における下端に内側に直角に位置決め用の板部17を連設している点で、第１の実施の形態と第２の実施の形態では構成が多少異なるが、機能的には緊結金具５と緊結金具15と同じであるので、その詳細説明は省略する。また、図６〜図９において、前記第１の実施の形態と同一符号は同一部材を示している。
【００１３】
ところで、本発明は以上述べた２つの実施の形態以外に、例えば図１二点鎖線で示すように互いに平行な側板部６，６を一体に備えた緊結金具とすることもでき、その場合、互いに平行な側板部６，６の外側に２本の天井梁３の端部が当接して釘打ちされる。図６に示す緊結金具15についても同様に互いに平行な側板部６を一体に備えた構成とすることができる。
【００１４】
なお、以上述べた２つの実施の形態では、たる木４に位置決め金具12を取り付け、この位置決め金具12の両側の側板部13の端面を緊結金具５，15の側板部６の一端側端面に当接することによりたる木４の位置決めを行なうようになっているが、棟の位置で棟木に対するたる木４の位置合わせが正確になされておれば、位置決め金具12を用いずに緊結金具５の側板部６の内面にたる木４を当てがい、側板部６とたる木４を釘10打ちにより固定すれば良い。
【００１５】
【発明の効果】
以上のように本発明によれば、軒桁や妻梁などの横架材に対する天井梁およびたる木の取り付けを天井梁の端部に取り付けられる緊結金具により容易に行なうことができ、屋根組時の作業効率を大幅に向上させることができる。
【図面の簡単な説明】
【図１】本発明の第１の実施の形態における緊結金具の斜視図である。
【図２】同位置決め金具の斜視図である。
【図３】同横架材に天井梁を載せる途中の状態を示す要部拡大正面図である。
【図４】同横架材に天井梁およびたる木を載せて固定した状態を示す要部拡大正面図である。
【図５】同横架材に天井梁およびたる木を載せて固定した状態を示す要部斜視図である。
【図６】本発明の第２の実施の形態における緊結金具の斜視図である。
【図７】同横架材に天井梁を載せる途中の状態を示す要部拡大正面図である。
【図８】同横架材に天井梁およびたる木を載せて固定した状態を示す要部拡大正面図である。
【図９】同横架材に天井梁およびたる木を載せて固定した状態を示す要部斜視図である。
【符号の説明】
１      横架材
２      柱
３      天井梁
４      たる木
５      緊結金具
６      側板部
７      傾斜板部
８      位置決め用の板部
９      板部
９ａ    端部
１０      釘
１１      凹部
１２      位置決め金具
１３      側板部
１４      底板部
１５      緊結金具
１６      傾斜板部
１７      位置決め用の板部
【図１】
0003693410.tif 000002
【図２】
0003693410.tif 000003
【図３】
0003693410.tif 000004
【図４】
0003693410.tif 000005
【図５】
0003693410.tif 000006
【図６】
0003693410.tif 000007
【図７】
0003693410.tif 000008
【図８】
0003693410.tif 000009
【図９】
0003693410.tif 000010